(57)【要約】【課題】効率的に検査を実行できる対人検査装置を提供する。【解決手段】管理すべき区域への進入に際して対人検査を行う対人検査装置において、被検査者１００の生体の特徴を計測して個人認証を行う生体個人認証計測手段３０２と、電磁波又は放射線を用いて被検査者の携帯物検査を行う手段１０４、１０６と、検査情報を格納する記憶手段と、検査情報を表示する表示手段と備え、生体個人認証情報と携帯物検査情報を記憶し、表示する手段３０６ａ、３０６ｂを備える。【効果】生体個人認証計測と隠匿物検査を同時に行い効率的を図る。【選択図】図３
2005202447.tif 000002
【特許請求の範囲】
【請求項１】
管理すべき区域への進入に際して対人検査を行う検査装置において、被検査者の生体の特徴を計測して個人認証を行う生体個人認証計測手段と、電磁波又は放射線を用いて被検査者の携帯物検査を行う手段と、検査情報を格納する記憶手段と、前記検査情報を表示する表示手段とを少なくとも備え、前記生体個人認証情報と前記携帯物検査情報を記憶し、表示する手段を備えたことを特徴とする対人検査装置。
【請求項２】
管理すべき区域への進入に際して対人検査を行う検査装置において、被検査者の生体の特徴を計測して個人認証を行う生体個人認証計測手段と、電磁波又は放射線を用いて被検査者の携帯物を検査する手段とを少なくとも備え、前記個人認証情報と前記携帯物検査情報を携行可能な媒体に電磁的に記録する手段を備えたことを特徴とする対人検査装置。
【請求項３】
管理すべき区域への進入に際して対人検査を行う検査装置において、被検査者の生体の特徴を計測して個人認証を行う生体個人認証計測手段と手段と、電磁波又は放射線を用いて被検査者の携帯物を検査する手段と、顔を含む被検査者画像を撮影する手段と、記憶する手段と表示手段とを少なくとも備え、前記個人認証情報と前記携帯物検査情報と被検査者画像情報を合わせて表示する手段を備えたことを特徴とする対人検査装置。
【請求項４】
管理すべき区域への進入に際して対人検査を行う検査装置において、被検査者の生体の特徴を計測して個人認証を行う手段と、電磁波又は放射線を用いて被検査者の携帯物検査する手段と、顔を含む被検査者画像を撮影する手段とを少なくとも備え、前記個人認証情報と前記携帯物検査情報と被検査者画像情報を携行可能な媒体に電磁的に記録する手段を備えたことを特徴とする対人検査装置。
【請求項５】
請求項１又は３において、個人認証を行う手段を複数備え、上記個人認証を行った情報基づき、上記記憶手段に格納された検査情報を表示することを特徴とする対人検査装置。
【請求項６】
請求項２又は４において、前記携行可能な媒体に記録された情報を読み出す手段を備え、上記媒体手段に格納された検査情報を表示することを特徴とする対人検査装置。
【発明の詳細な説明】
【技術分野】
【０００１】
本発明は保安が必要な空港や重要施設における入退室管理に関し、特に所持品検査を行なう検査技術に係わる。
【背景技術】
【０００２】
図１は、周知の従来技術の検査手順を示す図である。従来の空港搭乗検査においては、乗客等の被検者１００は、靴や腕時計等の装用携行物１０１ｗ、手提げ鞄等の手持ち携行物１０１ｈを携行して検査に望む。一般に、金属探知ゲートと呼称されるゲート型金属・磁気探知手段１０３を通過するに当り、事前にトレイ１０２等の容器に事前に装用携行物１０１ｗ、手持ち携行物１０１ｈや衣類等を入れＸ線検査手段１０６での検査に供し、Ｘ線検査者１０７のチェックを受ける。混雑に応じて他の被検査者の先行待機者１００ｘの後列につき、多くの場合、被検者１００は着衣の金属物や懐中に意図無く残した非認識携行物１０１ｕ等を保持したままゲート型金属・磁気探知手段１０３を通過するため、多くの場合、警報表示手段１０３ａが発報し、警棒型金属・磁気探知手段１０４を用いて隠匿物検査者１０５が全身を詳細に検査する。ここで非認識携行物１０１ｕが検出されると再びＸ線検査手段１０６に送られる。隠匿物検査者１０５の検査を終了した被検者１００ｂはＸ線検査手段１０６を通過した装用携行物１０１ｗ、手持ち携行物１０１ｈを装着、携行して航空機への搭乗に進む。
【０００３】
図２は、従来技術の検査手順の時間経過の例を示す図である。乗客等の被検者は搭乗検査区域に到着すると、周囲の状況把握やアナウンス、掲示から、検査対応手順把握２０１を行い、装用・手持ち携行物提出２０２を行なう。提出物は比較的短時間のうちにＸ線検査が終了する。乗客の混雑によりゲート型金属・磁気探知検査順番待機２０３が起こり、ゲート型金属・磁気検査２０４が行われる。場合によっては、ゲート型金属・磁気検査２０４は発報が収まるまで反復される。この後、警棒型金属・磁気探知検査２０５が行われ、非認識携行物の検出と提出２０６が行われ、別途のＸ線検査２０７が追加される場合がある。さらに、Ｘ線検査で装用携行物１０１ｗ、手持ち携行物１０１ｈ内容物に疑義が生じた場合、鞄を開封して目視検査を行ったり質問する等の開梱検査・尋問２０８が行われ、持込み禁止物等の禁制物分離提出２０９が行われ、封入手段に記名の上で別運搬容器に格納する等の処置を経て搭乗検査合格２１０となる。
【０００４】
こうした空港内の効率的な旅客移動を目的としたシステム技術として特許文献１（特開２００２−３７３２１７号公報）に空港等旅客移動空間案内システムが開示されている。当該技術は空港内のセキュリティチェックのみならず、旅客全般の誘導業務を円滑に進めるための携帯情報端末の利用等が開示されているが、特に金属探知検査、ボディチェック、Ｘ線検査装置等の組み合わせにおいて有効に情報を連携する手段は開示されていない。
【０００５】
【特許文献１】特開２００２−３７３２１７号公報
【発明の開示】
【発明が解決しようとする課題】
【０００６】
かかる上記従来の搭乗検査では、被検者１００が貴重品等の装用携行物１０１ｗ、手持ち携行物１０１ｈを身から離してＸ線検査に供せねばならないため、隠匿物検査者１０５、Ｘ線検査者１０７を含む検査者は、個々の被検者１００に対して個別の貴重品預かりを確実に行う必要がある。また、ゲート型金属・磁気検査２０４の発報原因を隠匿物検査者１０５が警棒型金属・磁気探知検査２０５にて指摘する作業は、足元から頭頂まで漏れなく行う必要があり、状況においては着衣を捲る等の作業を被検者１００に説明し同意、依頼する過程が検査時間を要していた。特に被検者１００の着衣と一体となった金属物等は、分離提出が困難であるため、被検者１００に隠匿物検査者１０５が同意、依頼の説明を行う場合に、事前に被検者１００と隠匿物検査者１０５が検出情報を共有することで同意と検査への協力が加速される。
本発明の目的は、効率的に検査を実行できる対人検査装置を提供することにある。
【課題を解決するための手段】
【０００７】
上記課題を解決するため本発明では、管理すべき区域への進入に際して対人検査を行う検査装置において、第一の手段として、被検査者の生体の特徴を計測して個人認証を行う手段と、電磁波又は放射線を用いて被検査者の携帯物検査を行う手段と、検査情報を格納する記憶手段と、検査情報を表示する表示手段とを少なくとも備え、個人認証情報と携帯物検査情報を記憶し、表示する手段を備える。
【０００８】
上記課題を解決するため本発明では、管理すべき区域への進入に際して対人検査を行う検査装置において、第二の手段として、被検査者の生体の特徴を計測して個人認証を行う手段と、電磁波又は放射線を用いて被検査者の携帯物検査する手段とを少なくとも備え、個人認証情報と携帯物検査情報を携行可能な媒体に電磁的に記録する手段を備える。
【０００９】
上記課題を解決するため本発明では、管理すべき区域への進入に際して対人検査を行う検査装置において、第三の手段として、被検査者の生体の特徴を計測して個人認証を行う手段と、電磁波又は放射線を用いて被検査者の携帯物検査する手段と顔を含む被検査者画像を撮影する手段と、記憶する手段と表示手段とを少なくとも備え、個人認証情報と携帯物検査情報と被検査者画像情報を合わせて表示する手段を備える。
【００１０】
上記課題を解決するため本発明では、管理すべき区域への進入に際して対人検査を行う検査装置において、第四の手段として、被検査者の生体の特徴を計測して個人認証を行う手段と、電磁波又は放射線を用いて被検査者の携帯物検査する手段と顔を含む被検査者画像を撮影する手段とを少なくとも備え、個人認証情報と携帯物検査情報と被検査者画像情報を携行可能な媒体に電磁的に記録する手段を備える。
【００１１】
第五の手段として、第一又は第三の手段において、個人認証を行う手段を複数備え、上記個人認証を行った情報に基づき、上記記憶手段に格納された検査情報を表示する。
第六の手段として、第二又は第四の手段において、上記携行可能な媒体に記録された情報を読み出す手段を備え、上記媒体手段に格納された検査情報を表示する。
【発明の効果】
【００１２】
本発明によれば、空港、重要施設での入退室検査において検査時間の短縮による効率化を図ることができる。本発明によれば、生体個人認証計測と隠匿物検査を同時に行い、被検査者と情報共有することにより効率的な検査システムを提供できる。
【発明を実施するための最良の形態】
【００１３】
本発明の第一の実施例を図３、図４を用いて説明する。
図３は、本発明の対人検査装置の第一の実施例の検査手順を示す図である。
入路制限手段３０１、入路端末３００、検査・認証ブース３０２、検査情報端末３０６ａ、３０６ｂは、制御手段３０４に接続され、制御手段３０４は構内通信網３０５に接続される。入路制限手段３０１は、検査区画へ新たに到着した被検査者１００の進入を制御するための遮断機等で構成される。入路端末３００は、入路制限手段３０１の開閉と連動して進入の可否や進入後の検査手順に対する手順の説明表示が可能である。検査・認証ブース３０２は、自動施錠機構等を有するブース入退制限手段３０３を備え、すでにブースが先行の被検査者で占有されている場合には、ブースへの立ち入りが阻止される。また、検査により、ブース内の被検査者の身柄を確保する必要が生じた場合にはブース入退制限手段３０３は自動施錠機構で施錠される。
【００１４】
検査・認証ブース３０２は、金属・磁気探知機、Ｘ線散乱イメージング装置、核磁気共鳴装置、ミリ波、赤外線等の隠匿物計測手段と、指紋、虹彩、掌形、指や手の静脈網、耳介、顔等計測による生体個人認証計測手段とを備える。さらに、磁気カード、ＩＣカード、無線通信による通信機能を備えた端末や記録／記憶媒体に対して記録や読み出しを行う電磁的記録読出し端末を備える。入路端末３００、検査情報端末３０６ａ、３０６ｂは必要に応じ、上記生体個人認証計測手段、電磁的記録読出し端末を備える。
【００１５】
本実施例の検査手順の例を示す。検査区画へ新たに到着した被検査者１００は非認識携行物１０１ｕを認識しないまま、入路端末３００の表示指示に従い、入路制限手段３００の開放時に検査区域内に進む。開放された検査・認証ブース３０２内に被検者が入り、ブース入退制限手段３０３が閉じる。検査・認証ブース３０２内部での隠匿物計測検査と生体個人認証計測が行われると、隠匿物計測検査結果情報が検査・認証ブース３０２内に表示され、被検査者１００は装用携行物１０１ｗや非認識携行物１０１ｕを自ら認識して取り外すことが可能になる。また、被検査者１００はそれらが着衣と一体である等、着脱可能でない場合も、予めどの部分に存在するかを認識できる。生体個人認証計測の結果と隠匿物計測検査の結果は関連付けられて、制御手段３０４の有する記憶手段の内部に保持される。これらの情報は必要に応じ構内通信網３０５にて伝送されて、構内通信網３０５上に接続される他の制御手段と共有される。
【００１６】
検査・認証ブース３０２を出た被検査者１００は、トレイ１０２等に装用携行物１０１ｗをまとめ、手持ち携行物１０１ｈと共にＸ線検査手段１０６に検査物を一度に提出する。必要に応じて、これらの指示は検査・認証ブース３０２内の表示手段により被検査者１００に伝達される。この時、Ｘ線検査者１０７は検査・認証ブース３０２で取得された生体個人認証計測に基づく本人同定情報と、被検査者１００から受け取った貴重品等を含む携行物とを対応付けることができる。また、Ｘ線検査者１０７は、検査・認証ブース３０２で取得された隠匿物計測検査結果情報を検情報端末３０６ｂで取得し、Ｘ線検査情報と合わせて取得することにより、着衣と一体である等の理由で分離不能として被検査者１００が依然携行している携行物とＸ線検査情報とを合わせて判断することにより、部品に分解されて別々の検査で持ち込まれる恐れのある禁制物の存在を推定することができる。
【００１７】
Ｘ線検査手段１０６に検査物を提出した被検査者１００は、予め検査・認証ブース３０２で分離不能な金属物の位置等が存在することを認識した上で、ゲート型金属・磁気探知手段１０３を通過する。ここで、ゲート型金属・磁気探知手段１０３の発報があった場合、隠匿物検査者１０５は、検査・認証ブース３０２で既に計測された被検査者１００の計測情報が検査情報端末３０６ａに表示されるため、警棒型金属・磁気探知手段１０４を用いた検査を効率的に進めることができる。隠匿物検査が終了した被検査者１００ｂはＸ線検査手段１０６の出口付近に移動し、検査終了物を受け取るが、この時、Ｘ線検査者１０７は検査情報端末３０６ｂにて被検査者１００と検査済みの携行物の対応を確認しながら確実に受け渡すことができる。携行物を受け取った被検査者１００ｃは検査区域を離れる。
【００１８】
ここで、入路端末３００に生体個人認証計測手段や電磁的記録読出し端末を備える場合、既に登録されている生体個人認証計測結果やハ゜スホ゜ート、航空券、携帯端末等の記録媒体情報との一致により、事前に所定の信用付与がなされた被検査者１００に関しては検査手順を変更することもできる。また、検査情報端末３０６ａ、  ３０６ｂが生体個人認証計測手段や電磁的記録読出し端末を備える場合、それぞれの位置で被検査者１００の情報をもとに検査・認証ブース３０２での計測情報を制御手段３０４より読み出して表示することができる。
【００１９】
図４は、本発明の対人検査装置の第一の実施例での被検査者１００に関する手順と時間経過の例を示す図である。図３の検査手順での被検査者１００に関する手順とそれに関する時間の例を図４に示す。搭乗検査開始２００から検査対応手順把握２０１を行う。ブース入室４０２後、ブース内検査・認証４０３が行われる。装用・手持ち携行物提出２０２の後、Ｘ線検査２０７は並列に行われる間、ゲート型金属・磁気探知検査２０４と警棒型金属・磁気探知検査２０５が行われる。Ｘ線検査２０７の結果次第では、開梱検査・尋問２０８が行われ、禁制物分離提出２０９のあと搭乗検査合格２１０となる。
【００２０】
本発明の第二の実施例を図５、図６を用いて説明する。
図５は、本発明の対人検査装置の第二の実施例の検査手順を示す図である。
入路制限手段３０１、入路端末３００、検査・認証ブース３０２、ブース内部開閉Ｘ線検査手段５０１、検査情報端末３０６ａ、３０６ｂは、制御手段３０４に接続され、制御手段３０４は構内通信網３０５に接続される。入路制限手段３０１は、検査区画へ新たに到着した被検査者１００の進入を制御するための遮断機等で構成される。入路端末３００は入路制限手段３０１の開閉と連動して進入の可否や進入後の検査手順に対する手順の説明表示が可能である。検査区域に進入後、大型の手持ち携行物１０１ｈがある時は、Ｘ線検査手段１０６に対して手持ち携行物１０１ｈを提出する。この時、必要に応じて検査情報端末３０６ｂに指紋、虹彩、掌形、指や手の静脈網、耳介、顔等の計測による生体個人認証計測手段、磁気カード、ＩＣカード、無線通信による通信機能を備えた端末や記録／記憶媒体に対して記録や読み出しを行う電磁的記録読出し端末が備えられている場合は、それらを用いた手持ち携行物１０１ｈの受け渡し管理を行っても良い。
【００２１】
検査・認証ブース３０２はブース内部開閉Ｘ線検査手段５０１を併設して設置される。ブース内部開閉Ｘ線検査手段５０１は、少なくともＸ線による計測検査手段を備え、装用携行物１０１ｗや小型の手持ち携行物１０１ｈ等の被計測物の計測空間への出し入れのための開閉は検査・認証ブース３０２の内部から行えるようになっている。これにより、被検査者１００は貴重品等を第三者に提出することなく検査することが可能になる。
【００２２】
検査・認証ブース３０２は金属・磁気探知機、Ｘ線散乱イメージング装置、核磁気共鳴装置、ミリ波、赤外線等の隠匿物計測手段と、指紋、虹彩、掌形、指や手の静脈網、耳介、顔等の計測による生体個人認証計測手段とを備える。さらに、磁気カード、ＩＣカード、無線通信による通信機能を備えた端末や記録／記憶媒体に対して記録や読み出しを行う電磁的記録読出し端末を備える。入路端末３００、検査情報端末３０６ａ、３０６ｂは必要に応じ、上記生体個人認証計測手段、電磁的記録読出し端末を備える。
【００２３】
本実施例の検査手順の例を示す。検査区画へ新たに到着した被検査者１００は非認識携行物１０１ｕを認識しないまま、入路端末３００の表示指示に従い、入路制限手段３０１の開放時に検査区域内に進む。所定の寸法に比して大きい手持ち携行物１０１ｈを携行する場合は、Ｘ線検査手段１０６にてＸ線透視検査等の検査を行うＸ線検査者１０７に対して手持ち携行物１０１ｈを供出する。
【００２４】
開放された検査・認証ブース３０２内に被検者が入り、内部での隠匿物計測検査と生体個人認証計測が行われると、隠匿物計測検査結果情報が検査・認証ブース３０２内の表示手段に示され、被検査者１００は装用携行物１０１ｗや非認識携行物１０１ｕを自ら認識して取り外すことが可能になる。取り外した装用携行物１０１ｗや所定の寸法以下の手持ち携行物１０１ｈは、ブース内部で被検査物が出し入れ可能なブース内部開閉Ｘ線検査手段５０１の検査空間に設置され、Ｘ線透視等が行われる。
【００２５】
Ｘ線透視情報は制御手段３０４に記憶されるほか、Ｘ線検査者１０７の検査情報端末１０７に映像が転送されて検査が行われる。Ｘ線検査者１０７は、検査・認証ブース３０２で取得された隠匿物計測検査結果情報を検情報端末３０６ｂで取得し、Ｘ線検査情報と合わせて取得することにより、着衣と一体である等の理由で分離不能として被検査者１００が依然携行している携行物とＸ線検査情報とを合わせて判断することにより、部品に分解されて別々の検査で持ち込まれる恐れのある禁制物の存在を推定することができる。
【００２６】
被検査者１００は、ブース内での隠匿物計測検査結果により、対象が着衣と一体である等、着脱可能でない場合も、予めどの部分に存在するかを認識する。生体個人認証計測の結果と隠匿物計測検査の結果は関連付けられて、制御手段３０４の有する記憶手段の内部に保持される。これらの情報は必要に応じ構内通信網３０５にて伝送されて、構内通信網３０５上に接続される他の制御手段と共有される。
【００２７】
検査・認証ブース３０２を出た被検査者１００は、容器等に装用携行物１０１ｗをまとめ、予め検査・認証ブース３０２で分離不能な金属物の位置等が存在することを認識した上で、ゲート型金属・磁気探知手段１０３を通過する。ここで、ゲート型金属・磁気探知手段１０３の発報があった場合、隠匿物検査者１０５は、検査・認証ブース３０２で既に計測された被検査者１００の計測情報が検査情報端末３０６ａに表示されるため、警棒型金属・磁気探知手段１０４を用いた検査を効率的に進めることができる。隠匿物検査が終了した被検査者１００ｂはＸ線検査手段１０６の出口付近に移動し、検査終了物を受け取るが、この時、Ｘ線検査者１０７は検査情報端末３０６ｂにて被検査者１００と検査済みの携行物の対応を確認しながら確実に受け渡すことができる。携行物を受け取った被検査者１００ｃは検査区域を離れる。
【００２８】
ここで、入路端末３００に生体個人認証計測手段や電磁的記録読出し端末を備える場合、既に登録されている生体個人認証計測結果やハ゜スホ゜ート、航空券、携帯端末等の記録媒体情報との一致により、事前に所定の信用付与がなされた被検査者１００に関しては検査手順を変更することもできる。また、検査情報端末３０６ａ、３０６ｂが生体個人認証計測手段や電磁的記録読出し端末を備える場合、それぞれの位置で被検査者１００の情報をもとに検査・認証ブース３０２での計測情報を制御手段３０４より読み出して表示することができる。
【００２９】
図６は、本発明の対人検査装置の第二の実施例での被検査者１００に関する手順と時間経過の例を示す図である。
搭乗検査開始２００から検査対応手順把握６０１を行う。所定の寸法外の手持ち携行物提出２０２のあと、Ｘ線検査２０７が並列して開始される。ブース入室４０２後、ブース内検査・認証４０３が行われ、並行して携行・装用・懐中物Ｘ線検査６０２が行われる。ゲート型金属・磁気探知検査２０４のあと、警棒型金属・磁気探知検査２０５が行われ、Ｘ線検査２０７の結果で開梱検査・尋問２０８のあと禁制物分離提出２０９が行われて搭乗検査合格２１０となる。
【００３０】
図７は、本発明の第一、第二の実施例での検査・認証ブース３０２の構成例を示す図である。
第一、第二の実施例での検査ブース内には、カメラ等の撮像手段７０１があり被検査者１００の頭部を撮影記録することができる。指紋センサ等を用いた生体認証計測手段７０６の他にカードや電子媒体、磁気記録媒体、通信端末等と情報の記録、読出しを行う電磁的記録読出し端末７０７、金属・磁気探知センサ等を用いた隠匿物計測手段７０８を備える。ブースは自動施錠機構を備えた戸等のブース入退制限手段３０３を備える。また、第二の実施例での検査・認証ブース３０２には、ブース内部開閉Ｘ線検査手段５０１を備える。Ｘ線発生手段５０３より放射されたＸ線は携行物７０３を経てＸ線検出手段７０４にて画像化される。開閉手段７０５を経ることにより、被写体領域に携行物７０３が出し入れされる。出し入れは検査・認証ブース３０２内部より行い、貴重品等を安全に検査することができる。撮像手段７０１、生体認証計測手段７０６、電磁的記録読出し端末７０７、隠匿物計測手段７０８、Ｘ線検出手段７０４の出力は、図３、図５の制御手段３０４に伝送される。
【００３１】
図８は、本発明の第一、第二の実施例での検査情報端末３０６の構成例を示す図である。
表示手段７０２と必要に応じて指紋センサ等の生体個人認証計測手段７０６、電磁的記録読出し端末７０７を備える。被検査者の生体個人認証計測手段７０６による同定や、電磁的記録読出し端末７０７に被検査者１００が携帯している磁気記録媒体による同定等で予め行った検査・認証ブース内での計測情報を呼び出して表示手段７０２に出力することができる。
【産業上の利用可能性】
【００３２】
本発明は、空港等の搭乗検査システムや重要施設の入退室管理に利用可能である。
【図面の簡単な説明】
【００３３】
【図１】従来技術の検査手順を示す図。
【図２】従来技術の検査手順の時間経過の例を示す図。
【図３】本発明の対人検査装置の第一の実施例の検査手順を示す図。
【図４】本発明の対人検査装置の第一の実施例での被検査者に関する手順と時間経過の例を示す図。
【図５】本発明の対人検査装置の第二の実施例の検査手順を示す図。
【図６】本発明の対人検査装置の第二の実施例での被検査者に関する手順と時間経過の例を示す図。
【図７】本発明の第一、第二の実施例での検査・認証ブースの構成例を示す図。
【図８】本発明の第一、第二の実施例での検査情報端末３０６の構成例を示す図。
【符号の説明】
【００３４】
１００…被検者、１００ｂ…検査を終了した被検者、１００ｃ…携行物を受け取った被検査者、１０１ｈ…手持ち携行物、１０１ｕ…非認識携行物、１０１ｗ…装用携行物、１００ｘ…先行待機者、１０２…トレイ、１０３…ゲート型金属・磁気探知手段、１０３ａ…警報表示手段、１０４…警棒型金属・磁気探知手段、１０５…隠匿物検査者、１０６…Ｘ線検査手段、１０７…Ｘ線検査者、２０１…検査対応手順把握、２０２…装用・手持ち携行物提出、２０３…ゲート型金属・磁気探知検査順番待機、２０４…ゲート型金属・磁気検査、２０５…警棒型金属・磁気探知検査、２０６…非認識携行物の検出と提出、２０７…Ｘ線検査、２０８…開梱検査・尋問、２０９…禁制物分離提出、２１０…搭乗検査合格、３００…入路端末、３０１…入路制限手段、３０２…検査・認証ブース、３０３…ブース入退制限手段、３０４…制御手段、３０５…構内通信網、３０６ａ、３０６ｂ…検査情報端末、４０２…ブース入室、４０３…ブース内検査・認証、５０１…ブース内部開閉Ｘ線検査手段、６０１…検査対応手順把握、６０２…携行・装用・懐中物Ｘ線検査、７０１…撮像手段、７０６…生体認証計測手段、７０７…電磁的記録読出し端末、７０８…隠匿物計測手段、５０３…Ｘ線発生手段、７０３…携行物、７０４…Ｘ線検出手段、７０５…開閉手段。
【図１】
2005202447.tif 000003
【図２】
2005202447.tif 000004
【図３】
2005202447.tif 000005
【図４】
2005202447.tif 000006
【図５】
2005202447.tif 000007
【図６】
2005202447.tif 000008
【図７】
2005202447.tif 000009
【図８】
2005202447.tif 000010